(57)【要約】【課題】その１、売り手は常に高く売りたい。買い手は過度な高値落札のリスクを避けたい。この両者の期待を両立させるオークションシステムとする。その２、「この価格まで値下げあれば買う」という指値入札を可能とする。その３、所定のルールに基づいて落札優先順位１位と２位の間で落札権利の移譲を可能とする。【解決手段】入札値の有効範囲を、「上限と下限に囲まれた基本領域」、「前記上限より上の高値領域」、「前記下限より下の安値領域」の三つに区分して事前公開し、それぞれに寄せられた入札の中から、所定のルールに基づいて落札者を決定するインターネットオークションシステム。また落札者が不在の場合は、上限と下限が切り下げ方向に定時的に更新される。【選択図】  図１
2017097387.tif 000002
【特許請求の範囲】
【請求項１】
事前公開された「基本領域（有効な入札として扱う上限額〜下限額の範囲をいう）」に寄せられた入札値の中から、最高値をもって落札決定するオークションであって、
落札決定に至る入札があるまで定時的に基本領域を安い方向に更新する、
ことを特徴とするオークションの方法及びインターネットオークションシステム。
【請求項２】
「基本領域と待機領域（下限額よりも安い領域をいう）」、
又は「基本領域と高値領域（上限額よりも高い領域をいう）」、
又は「基本領域と待機領域と高値領域」に対する入札を並行して受け付け、
落札決定に至る入札があるまで定時的に基本領域を安い方向に更新する、
ことを特徴とするオークションの方法及びインターネットオークションシステム。
【発明の詳細な説明】
【技術分野】
【０００１】
本発明は、スマートフォンやパソコンを利用したインターネットオークションシステムに関する。
【背景技術】
【０００２】
物品販売や業務の提供を売り買いする様々なオークションがインターネット上で展開されている。物品販売の場合は落札価格の上値を追う競り。また業務委託などの場合は下値を追う競りが基本的な形態である。
【発明の概要】
【発明が解決しようとする課題】
【０００３】
物品販売の例で説明。売り手にとっては高額なほど歓迎されるので上限を定める必要はない。しかし買い手にとっては物品の品質に見合う真の価値を知ることができない状況の中で競りを続けなければならない不安やリスクがある。
【０００４】
これらの問題を解消するため、競売対象の品質と人気度に見合った上限と下限を事前公開し、安心で低リスクの入札を提供する。また、「この価格なら買う」と言う指値方式を提供する。また、開始から落札決定までの時間短縮を図るため入札下限額などの切り下げ更新機能を設ける。
【課題を解決するための手段】
【０００５】
第１の手段。事前公開された「基本領域（有効な入札として認定するための上限額と下限額に囲まれた範囲をいう）」に寄せられた入札値の中から、最高値をもって落札決定するオークションであって、落札決定に至る入札があるまで定時的に基本領域を安い方向に更新するインターネットオークションシステムとする。なお定時更新はシステムのプログラムに依存してすることを基本とするが、手動操作でする場合もある。
【０００６】
第２の手段。「基本領域と待機領域（下限額より下方の領域をいう）」、
又は「基本領域と高値領域（上限額より上方の領域をいう）」、
又は「基本領域と待機領域と高値領域」に対する入札を並行して受け付け、落札決定に至る入札があるまで定時的に基本領域を安い方向に更新するインターネットオークションシステムとする。
【入札と落札のルール例】
【０００７】
図１参照。本発明の理解を易くするため、初めにルールの説明をする。入札を受け付ける価格は「基本領域」と「高値領域」と「待機領域」の三つに区分して、これらの組合せにより、Ｋ型（基本領域のみ）、ＫＴ型（基本領域と待機領域の２つ）、ＫＨ型（基本領域と高値領域の２つ）、ＫＴＨ型（基本と待機領域と高値領域の３つ）の４タイプのオークション形式を提供する。
【０００８】
Ｋ型の場合は、上限額と下限額の範囲内に寄せられた入札の最高値をもって決定する。なお最高値が複数ある場合は、抽選や受付時刻の早いもの順などのルールに基づいて決定する。
【０００９】
ＫＴ型の場合は、基本領域と待機領域の両方に並行して入札を受け付けることになるが、落札決定は基本領域に寄せられた入札の最高値をもって落札決定とする。しかし基本領域への入札が皆無となる事態も想定されるので、この場合は基本領域の切り下げ更新後に再度入札を待つ。
【００１０】
上述のように基本領域への入札が皆無となった場合は基本領域の切り下げ更新がなされるものであるが、先に済まされていた待機入札はこの更新後も有効とすると、切り下げ更新があった結果として、「先の待機入札値が基本領域内に入る」ことがある。そしてこの時、待機入札は「基本領域に対する入札としての地位」を得ることになり、落札する可能性をもつことになる。
【００１１】
「待機入札」とは、公開されている下限額の下方で「この値であれば買う」という意思を登録するもので、落札が決定されるまで有効として扱う指値のことである。最初の入札時点では落札権利を持たないが、下限額の切り下げ更新の過程で自動的に基本領域に入る可能性のあるものを「指値による待機入札」と言う。なお、待機入札を基本領域更新後に持ち越さないで、待機入札の中の最高値で落札決定するという方法もありうる。
【００１２】
ＫＨ型の場合は、「基本領域」と「高値領域」の二つに対して並行入札を受け付ける。このため、基本領域だけに入札があった。高値領域だけに入札があった。両方に入札があった。両方ともに入札がなかった。の４通りのケースが起きる。
其々の領域の最高値各一名が落札の権利を得る。合計では２名となるので落札の優先権をどちらにするか決めておく必要がある。
【００１３】
この優先権は、単純に、１位を高値領域への入札者、そして２位は基本領域への入札者とする方法もある。
【００１４】
しかし別案として、本システムの基本理念である「上限設定による安心性確保」の考えを尊重する方法もある。この場合は基本領域への入札者を落札権利１位とするが価格は２番である。 そして高値領域への入札者の落札権利は２位だが価格は１番である。
【００１５】
この様な場合において権利者２位さんが１位さんから落札権利の移譲をうけることができるものとし、そのルールの一例を述べる。
【００１６】
上記権利移譲の代償金の算定方法の一例を示す。１位さんが入札した価格が５００００円で、２位さんが入札した価格が１０００００円なら、差額は５００００円となる。この差額の半分を売り手が得た１０００００円の中から１位さんに支払うものとする。これにより１位さんは、落札権は失ったが２５０００円の分配利益を受ける。２位さんの支払い額は落札額と同じ。売り手さんは上限より２５０００円多い額を受け取ることになる。
【００１７】
ＫＴＨの場合は前記ＫＨ型と同様である。また高値領域と基本領域の両者に入札がなかった場合には、待機領域への入札が基本領域更新後に有効として扱われ、落札決定の可能性を持つことになる。
【発明の効果】
【００１８】
Ｋ型の場合。上限と下限の範囲内でのみ落札が決まるので、不用意な高値落札のリスクが軽減される。また入札開始から落札までの時間が早まると想定される。
【００１９】
ＫＴ型の場合。実質としては基本領域への入札者の中の最高値で落札決定となるが、基本領域への入札者が皆無の場合は、待機入札者が落札決定する可能性が生じる。
【００２０】
ＫＨ型。買い人気が強すぎる状況下では、上限額より高い額であっても落札を望む者が現れることになる。一方、基本領域にも並行して入札を受け付けているので、基本と高値の両方の領域に落札権利者各１名で合計２名が登場する事態となる。従ってどちらに落札決定するかのルールを定めておく必要がある。ルールの例は別記参照。
【００２１】
ＫＴＨ型。実質としては基本領域又は高値領域への入札者の中から落札決定となるが、基本領域及び高値領域への入札者が皆無の場合は、基本領域更新後に待機入札者が落札する可能性が生じる。
【００２２】
指値による待機入札のシステムを活用することにより、買い手側は、毎回の更新を見張ることなく気楽に結果を待つことができ便利である。そしてその後、運よく落札が確定したら電子メールなどでその旨の通知をうけとって契約に及ぶこととなる。
【００２３】
また当サイトに入札のあった人数や価格の分布状況、閲覧者数などの状況はインターネット画面で公開するのがよい。入札検討中の者の決断材料となって無駄な時間の経過を減らして早期落札が見込まれる。
【図面の簡単な説明】
【００２４】
【図１】入札受付の価格領域の区分と、複数の区分に対する並行入札受付の組み合わせの例４タイプを示している。
【図２】落札決定に至る入札者が無い場合、時間の流れに連れて基本領域が更新され、漸次切り下がっていく状況を示している。
【発明を実施するための形態】
【００２５】
図２参照。Ｋ型の例で説明。例えば１０時に基本領域を更新・公開して入札の受付を開始。この時の上限＝５０００円、下限＝３０００円とする。この基本領域に寄せられた入札の中で最高値をもって落札決定する。しかし上限額に入札した者が複数いる場合も想定されるので、この場合は入札時刻の早い順、また時刻が同じなら抽選とするなどで1名に決定する必要がある。
【００２６】
例として制限価格の更新は２時間毎に行う。次回更新の１２時までに基本領域への入札者が皆無なら、上下限額を切り下げて（例えば上限３０００円、下限１０００円）公開し、入札受付を再開する。以後、落札が確定するまで基本領域の更新を繰り返して入札を待つ。
【００２７】
切り下げの率幅については別途定めておく必要がある。また更新はシステムのプログラムに依存して自動更新する、または入札状況を分析して裁量で下げ率を変更することもできる。
【００２８】
上限と下限の領域は、広くしたり狭くしたり、また下限の位置をゼロに近づけるなど多彩な設定が可能である。出品者は物品の人気度や早期落札を考慮して、もっとも効果的な状態にコントロールすることができる。
【符号の説明】
【００２９】
１  更新の経過
２  基本領域・・・上限と下限で囲まれた入札の有効領域を言う
３  高値領域・・・上限より上の領域を言う
４  待機領域・・・下限より下の領域を言う
５  入札値・・・・下方に安くなる
６  基本領域の切り下げ更新・・・定時間隔で自動更新を原則とする  
【図１】
2017097387.tif 000003
【図２】
2017097387.tif 000004